(57)【要約】【課題】固定側レールと支持部材との固定、可動側レールと棚部材との固定に際して使用するネジの数を減らし、固定側レールと支持部材、及び、可動側レールと棚部材との固定作業の手間と時間とを軽減する。【解決手段】固定側レール１６と可動側レール１７とがスライド可能に連結されたスライドレール１２Ａを有し、固定側レール１６が支持部材１３に固定され、可動側レール１７に商品が載置される棚部材が固定され、棚部材が可動側レール１７と共に引き出し位置と収納位置との間でスライド可能なショーケース用スライド棚において、固定側レール１６に複数の固定用嵌合爪１８ａ，１８ｂを形成するとともにこれらの固定用嵌合爪１８ａ，１８ｂが嵌合される複数の固定用嵌合穴２２ａ，２２ｂを支持部材１３に形成し、可動側レール１７に複数の固定用嵌合爪を形成するとともにこれらの固定用嵌合爪が嵌合される複数の固定用嵌合穴を棚部材に形成する。【選択図】図３
2012016505.tif 000002
【特許請求の範囲】
【請求項１】
長尺状の固定側レールと長尺状の可動側レールとが平行に対向して配置されるとともにこれらの固定側レールと可動側レールとが長手方向に沿って相対的にスライド可能に連結されたスライドレールを有し、前記固定側レールが支持部材に固定され、前記可動側レールに商品が載置される棚部材が固定され、前記棚部材が前記可動側レールと共に手前側の引き出し位置と奥側の収納位置との間でスライド可能なショーケース用スライド棚において、
前記固定側レールにこの固定側レールの長手方向に沿って配列された複数の固定用嵌合爪が形成され、前記固定側レールと前記支持部材とを対向させて相対的にスライドさせることにより前記固定用嵌合爪が嵌合される複数の固定用嵌合穴が前記支持部材に形成され、
前記可動側レールにこの可動側レールの長手方向に沿って配列された複数の固定用嵌合爪が形成され、前記可動側レールと前記棚部材とを対向させて相対的にスライドさせることにより前記可動側レールに形成された前記固定用嵌合爪が嵌合される複数の固定用嵌合穴が前記棚部材に形成され、
ていることを特徴とするショーケース用スライド棚。
【請求項２】
前記固定側レールに形成された複数の前記固定用嵌合爪はそれぞれ長さ寸法が異なり、前記可動側レールに形成された複数の前記固定用嵌合爪もそれぞれ長さ寸法が異なることを特徴とする請求項１記載のショーケース用スライド棚。
【請求項３】
前記固定側レールに形成された前記固定用嵌合爪と前記支持部材に形成された前記固定用嵌合穴とが嵌合した場合に、この嵌合が外れる方向に前記固定側レールと前記支持部材とが相対的に移動することを規制する戻り止め機構が前記固定側レールと前記支持部材とに設けられ、
前記可動側レールに形成された前記固定用嵌合爪と前記棚部材に形成された前記固定用嵌合穴とが嵌合した場合に、この嵌合が外れる方向に前記可動側レールと前記棚部材とが相対的に移動することを規制する戻り止め機構が前記可動側レールと前記棚部材とに設けられていることを特徴とする請求項１又は２記載のショーケース用スライド棚。
【請求項４】
前記固定側レールと前記可動側レールとに、これらのレールの長手方向に沿って湾曲するように突出した補強用凸部が形成されていることを特徴とする請求項１ないし３のいずれか一項に記載のショーケース用スライド棚。
【請求項５】
前記固定側レールと前記可動側レールとは同一形状に形成されていることを特徴とする請求項１ないし４のいずれか一項に記載のショーケース用スライド棚。
【発明の詳細な説明】
【技術分野】
【０００１】
本発明は、ショーケース用スライド棚に関わり、特に、栄養ドリンクやペットボトル入り飲料等の商品の保冷・陳列に使用されるショーケース用スライド棚に関する。
【背景技術】
【０００２】
従来、栄養ドリンクやペットボトル入り飲料等の商品を保存・陳列する冷蔵用ショーケースにおいて、商品が載置される棚部材を手前側と奥側との間でスライド可能としたショーケース用スライド棚を使用するものがあり、例えば、下記特許文献１に記載されたものが知られている。
【０００３】
特許文献１に記載されたショーケース用スライド棚は、長手方向に沿って相対的にスライド可能に連結された長尺状の固定側レール（固定側部材）と可動側レール（可動側部材）とからなるスライドレールを有している。冷蔵用ショーケースには支持部材（ブラケット）が設けられており、この支持部材に固定側レールが固定され、可動側レールに棚部材（棚板）が固定されている。
【０００４】
固定側レールと支持部材との固定、及び、可動側レールと棚部材との固定は、それぞれ複数のネジを用いて行われている。ネジは、商品の荷重を受ける部分であり、その荷重に耐えるためには複数のネジを用いることが必要である。
【先行技術文献】
【特許文献】
【０００５】
【特許文献１】特許第３６０１０２２号公報
【発明の概要】
【発明が解決しようとする課題】
【０００６】
固定側レールと支持部材との固定、及び、可動側レールと棚部材との固定を複数のネジを用いて行う場合、ネジ締めの作業工程数が多くなり、多大な手間と時間とがかかっている。
【０００７】
さらに、ネジ締め作業時には固定側レールのネジ穴と支持部材のネジ穴、及び、可動側レールのネジ穴と棚部材のネジ穴とが位置ずれしないように位置合わせする必要があり、ネジ締め作業にはより一層手間がかかっている。
【０００８】
本発明はこのような課題を解決するためになされたもので、その目的は、固定側レールと支持部材との固定、及び、可動側レールと棚部材との固定に際して使用するネジの数を減らし、固定側レールと支持部材との固定作業、及び、可動側レールと棚部材との固定作業に要する手間と時間とを軽減することである。
【課題を解決するための手段】
【０００９】
本発明に係る第１の特徴は、長尺状の固定側レールと長尺状の可動側レールとが平行に対向して配置されるとともにこれらの固定側レールと可動側レールとが長手方向に沿って相対的にスライド可能に連結されたスライドレールを有し、前記固定側レールが支持部材に固定され、前記可動側レールに商品が載置される棚部材が固定され、前記棚部材が前記可動側レールと共に手前側の引き出し位置と奥側の収納位置との間でスライド可能なショーケース用スライド棚において、前記固定側レールにこの固定側レールの長手方向に沿って配列された複数の固定用嵌合爪が形成され、前記固定側レールと前記支持部材とを対向させて相対的にスライドさせることにより前記固定用嵌合爪が嵌合される複数の固定用嵌合穴が前記支持部材に形成され、前記可動側レールにこの可動側レールの長手方向に沿って配列された複数の固定用嵌合爪が形成され、前記可動側レールと前記棚部材とを対向させて相対的にスライドさせることにより前記可動側レールに形成された前記固定用嵌合爪が嵌合される複数の固定用嵌合穴が前記棚部材に形成されていることである。
【００１０】
本発明に係る第２の特徴は、第１の特徴に係るショーケース用スライド棚において、前記固定側レールに形成された複数の前記固定用嵌合爪はそれぞれ長さ寸法が異なり、前記可動側レールに形成された複数の前記固定用嵌合爪もそれぞれ長さ寸法が異なることである。
【００１１】
本発明に係る第３の特徴は、第１又は第２の特徴に係るショーケース用スライド棚において、前記固定側レールに形成された前記固定用嵌合爪と前記支持部材に形成された前記固定用嵌合穴とが嵌合した場合に、この嵌合が外れる方向に前記固定側レールと前記支持部材とが相対的に移動することを規制する戻り止め機構が前記固定側レールと前記支持部材とに設けられ、前記可動側レールに形成された前記固定用嵌合爪と前記棚部材に形成された前記固定用嵌合穴とが嵌合した場合に、この嵌合が外れる方向に前記可動側レールと前記棚部材とが相対的に移動することを規制する戻り止め機構が前記可動側レールと前記棚部材とに設けられていることである。
【００１２】
本発明に係る第４の特徴は、第１ないし第３のいずれかの特徴に係るショーケース用スライド棚において、前記固定側レールと前記可動側レールとに、これらのレールの長手方向に沿って湾曲するように突出した補強用凸部が形成されていることである。
【００１３】
本発明に係る第５の特徴は、第１ないし第４のいずれかの特徴に係るショーケース用スライド棚において、前記固定側レールと前記可動側レールとは同一形状に形成されていることである。
【発明の効果】
【００１４】
本発明に係る第１の特徴によれば、固定側レールと支持部材との固定、及び、可動側レールと棚部材との固定に際して使用するネジの数を減らすことができ、固定側レールと支持部材との固定作業、及び、可動側レールと棚部材との固定作業に要する手間と時間とを軽減することができる。
【００１５】
本発明に係る第２の特徴によれば、固定側レールと支持部材とを相対的にスライドさせて固定用嵌合爪を固定用嵌合穴に嵌合させる場合、及び、可動側レールと棚部材とを相対的にスライドさせて固定用嵌合爪を固定用嵌合穴に嵌合させる場合、複数の固定用嵌合爪が固定用嵌合穴に嵌合されるタイミングがずれるため、固定用嵌合爪と固定用嵌合穴とを嵌合させる場合の負荷が小さくなり、固定側レールと支持部材との固定作業、及び、可動側レールと棚部材との固定作業を容易に行うことができる。
【００１６】
本発明に係る第３の特徴によれば、固定用嵌合爪を固定用嵌合穴に嵌合させた場合に、固定側レールと支持部材の相対的な移動、及び、可動側レールと棚部材との相対的な移動が戻り止め機構により規制される。これにより、固定側レールと支持部材との固定位置のずれ、及び、可動側レールと棚部材との固定位置のずれを防止することができる。さらに、ショーケース用スライド棚を引き出し位置や収納位置にスライドさせた場合に、固定側レールと支持部材との固定、及び、可動側レールと棚部材との固定に使用しているネジに作用する応力を軽減することができる。
【００１７】
本発明に係る第４の特徴によれば、補強用凸部を形成したことにより、固定側レール及び可動側レールのせん断荷重に対する強度を向上させることができる。
【００１８】
本発明に係る第５の特徴によれば、固定側レールと可動側レールとが同一形状であるため、固定側レールと可動側レールとのプレス金型を共通にでき、金型製造コストのコストダウンを達成することができる。
【図面の簡単な説明】
【００１９】
【図１】本発明の一実施の形態が適用された冷蔵ショーケースの全体を示す断面側面図である。
【図２】ショーケース用スライド棚を示す断面正面図である。
【図３】固定側レールとブラケットとの固定状態を示す分解斜視図である。
【図４】固定側レールとブラケットとを固定する手順を示す説明図である。
【図５】可動側レールと棚部材の補強板との固定状態を示す分解斜視図である。
【発明を実施するための形態】
【００２０】
本発明の一実施の形態を図面に基づいて説明する。図１に示す冷蔵ショーケース１は、前面側に開放部２を有する貯蔵室３を備え、この貯蔵室３内に上下方向に配列された複数のショーケース用スライド棚４が設けられている。ショーケース用スライド棚４は、栄養ドリンク等の商品Ｎが載置される棚部材５を有し、この棚部材５は、二点鎖線で示した手前側の引き出し位置と、実線で示した奥側の収納位置との間でスライド可能に支持されている。
【００２１】
また、冷蔵ショーケース１には、商品Ｎを冷蔵するための冷却空気が循環する床下ダクト６と背面ダクト７とが連続して形成されている。背面ダクト７の上端部には冷却空気が吹出す吹出口８が形成され、床下ダクト６の手前側先端部には吹出口８から吹出した冷却空気を吸込む吸込口９が形成されている。吹出口８から吹出した冷却空気は吸込口９に向けて矢印Ａで示すように流れ、棚部材５上に載置されている商品Ｎを冷却する。床下ダクト６内には、床下ダクト６内の空気を冷却することにより冷却空気を生成する冷却器１０と、冷却空気を送風して循環させるファン１１とが設置されている。
【００２２】
ショーケース用スライド棚４は、図２に示すように、一対のスライドレール１２Ａ，１２Ｂと、支持部材である一対のブラケット１３と、棚部材５とを備えている。スライドレール１２Ａ，１２Ｂとブラケット１３とは、冷蔵ショーケース１の手前側と奥側との方向に延出して水平向きに配置されている。ブラケット１３の奥側の一端は、冷蔵ショーケース１の奥側に設けられている支柱（図示せず）に固定されている。棚部材５は、棚板１４と棚板１４の内側に溶接された補強板１５とを備えている。
【００２３】
スライドレール１２Ａ，１２Ｂは、同一形状に形成された長尺状の固定側レール１６と可動側レール１７とを有している。
【００２４】
固定側レール１６は、平面部１６ａと平面部１６ａの両端に位置する一対の湾曲面部１６ｂとを有するとともに一部が開口された断面形状Ｃ字型に形成されている。固定側レール１６の平面部１６ａにはブラケット１３が固定されている。
【００２５】
可動側レール１７は、平面部１７ａと平面部１７ａの両端に位置する一対の湾曲面部１７ｂとを有するとともに一部が開口された断面形状Ｃ字型に形成されている。可動側レール１７の平面部１７ａには棚部材５の補強板１５が固定されている。
【００２６】
固定側レール１６と可動側レール１７とは、開口部分を対向させるとともに後述する図３及び図５に示すように前後方向を逆向きにして平行に配置されている。固定側レール１６と可動側レール１７との間には、これらの固定側レール１６と可動側レール１７とを長手方向に沿って相対的にスライド可能に連結するスライド機構（図示せず）が設けられている。
【００２７】
固定側レール１６の平面部１６ａには、図３に示すように、２つの固定用嵌合爪１８ａ，１８ｂと、１つの戻り止め用凸部１９と、２つの補強用凸部２０ａ，２０ｂと、１つのネジ取付穴２１とが形成されている。これらの固定用嵌合爪１８ａ，１８ｂと戻り止め用凸部１９と補強用凸部２０ａ，２０ｂとは、プレス加工により外側に向けて打ち出されている。ネジ取付穴２１はプレス加工により打ち抜かれている。
【００２８】
固定用嵌合爪１８ａ，１８ｂは、先端部を固定側レール１６の長手方向に沿った一方向に突出させたＬ字型に形成されている。固定用嵌合爪１８ａの長さ寸法“Ｌａ”と固定用嵌合爪１８ｂの長さ寸法“Ｌｂ”とは異なり、“Ｌａ＜Ｌｂ”となるように形成されている。
【００２９】
戻り止め用凸部１９は、固定用嵌合爪１８ａ，１８ｂの先端側から固定用嵌合爪１８ａ，１８ｂと平面部１６ａとの繋がり部側に向けて次第に拡開する楔形状に形成されている。戻り止め用凸部１９の後端部には、平面部１６ａに対して直交するように立ち上がった係合部１９ａが形成されている。
【００３０】
補強用凸部２０ａ，２０ｂは、固定側レール１６の長手方向に沿って湾曲する形状に形成されている。
【００３１】
ブラケット１３は、第１平面部１３ａと第２平面部１３ｂとからなる断面形状Ｌ字型に形成されており、ブラケット１３と固定側レール１６とが固定された場合には、第１平面部１３ａと固定側レール１６の平面部１６ａとが当接されている。第１平面部１３ａには、固定用嵌合爪１８ａ，１８ｂが嵌合される２つの固定用嵌合穴２２ａ，２２ｂと、戻り止め用凸部１９が嵌合される１つの戻り止め用嵌合穴２３と、補強用凸部２０ａ，２０ｂとの干渉を避ける２つの逃げ穴２４ａ，２４ｂと、１つのネジ取付穴２５とが形成されている。
【００３２】
また、ブラケット１３の第１平面部１３ａの一端側には、複数の係合爪１３ｃが形成されている。これらの係合爪１３ｃは、ブラケット１３を冷蔵ショーケース１の奥側に設けられている支柱に固定する場合に、支柱に形成されている係合穴（図示せず）に係合される。
【００３３】
固定側レール１６とブラケット１３との固定は、固定用嵌合爪１８ａを固定用嵌合穴２２ａに嵌合させるとともに固定用嵌合爪１８ｂを固定用嵌合穴２２ｂに嵌合させ、及び、ネジ取付穴２１とネジ取付穴２５とにネジ（図示せず）を通してネジの先端部にナットを螺合させることにより行われている。
【００３４】
また、固定側レール１６とブラケット１３とが固定されている場合において、補強用凸部２０ａ，２０ｂが逃げ穴２４ａ，２４ｂ内に位置し、戻り止め用凸部１９の係合部１９ａが戻り止め用嵌合穴２３の縁部に係合している。これらの戻り止め用凸部１９と戻り止め用嵌合穴２３とにより、固定用嵌合爪１８ａ，１８ｂと固定用嵌合穴２２ａ，２２ｂとが嵌合した場合に、その嵌合が外れる方向に固定側レール１６とブラケット１３とが移動することを規制する戻り止め機構が構成されている。
【００３５】
図４は、固定側レール１６とブラケット１３とを固定する手順を示している。まず、図４（ａ）に示すように、平面部１６ａと第１平面部１３ａとを対向させて固定側レール１６とブラケット１３とを位置させる。
【００３６】
ついで、図４（ｂ）に示すように、平面部１６ａと第１平面部１３ａとを当接させるとともに、固定用嵌合爪１８ａ，１８ｂを固定用嵌合穴２２ａ，２２ｂ内に位置させ、及び、補強用凸部２０ａ，２０ｂを逃げ穴２４ａ，２４ｂ内に位置させる。なお、この場合において、戻り止め用凸部１９は戻り止め用嵌合穴２３に入り込んではおらず、戻り止め用凸部１９は第１平面部１３ａに当接して第１平面部１３ａを僅かに撓ませている。
【００３７】
ついで、図４（ｃ）に示すように、固定側レール１６をその長手方向に沿って矢印Ｂ方向にスライドさせる。これにより、固定用嵌合爪１８ａ，１８ｂが固定用嵌合穴２２ａ，２２ｂの縁部を挟み付け、固定用嵌合爪１８ａ，１８ｂによる固定側レール１６とブラケット１３との固定が行われる。また、ネジ取付穴２１とネジ取付穴２５との中心が一致するので、これらのネジ取付穴２１，２５にネジを挿通してナットを螺合させることにより、ネジによる固定側レール１６とブラケット１３との固定が行われる。さらに、戻り止め用凸部１９が戻り止め用嵌合穴２３内に入り込み、戻り止め用凸部１９の係合部１９ａが戻り止め用嵌合穴２３に縁部に係合される。
【００３８】
可動側レール１７の平面部１７ａには、図５に示すように、２つの固定用嵌合爪１８ａ，１８ｂと、１つの戻り止め用凸部１９と、２つの補強用凸部２０ａ，２０ｂと、１つのネジ取付穴２１とが形成されている。これらの固定用嵌合爪１８ａ，１８ｂと戻り止め用凸部１９と補強用凸部２０ａ，２０ｂとは、プレス加工により外側に向けて打ち出されている。ネジ取付穴２１はプレス加工により打ち抜かれている。
【００３９】
固定用嵌合爪１８ａ，１８ｂは、先端部を可動側レール１７の長手方向に沿った一方向に突出させたＬ字型に形成されている。固定用嵌合爪１８ａの長さ寸法“Ｌａ”と固定用嵌合爪１８ｂの長さ寸法“Ｌｂ”とは異なり、“Ｌａ＜Ｌｂ”となるように形成されている。
【００４０】
戻り止め用凸部１９は、固定用嵌合爪１８ａ，１８ｂの先端側から固定用嵌合爪１８ａ，１８ｂと平面部１７ａとの繋がり部側に向けて次第に拡開する楔形状に形成されている。戻り止め用凸部１９の後端部には、平面部１７ａに対して直交するように立ち上がった係合部１９ａが形成されている。
【００４１】
補強用凸部２０ａ，２０ｂは、可動側レール１７の長手方向に沿って湾曲する形状に形成されている。
【００４２】
補強板１５は、第１平面部１５ａと第２平面部１５ｂとからなる断面形状Ｌ字型に形成されており、補強板１５と可動側レール１７とが固定された場合には、第１平面部１５ａと可動側レール１７の平面部１７ａとが当接されている。第１平面部１５ａには、固定用嵌合爪１８ａ，１８ｂが嵌合される２つの固定用嵌合穴２２ａ，２２ｂと、戻り止め用凸部１９が嵌合される１つの戻り止め用嵌合穴２３と、補強用凸部２０ａ，２０ｂとの干渉を避ける２つの逃げ穴２４ａ，２４ｂと、１つのネジ取付穴２５とが形成されている。
【００４３】
可動側レール１７と補強板１５との固定は、固定用嵌合爪１８ａを固定用嵌合穴２２ａに嵌合させるとともに固定用嵌合爪１８ｂを固定用嵌合穴２２ｂに嵌合させ、及び、ネジ取付穴２１とネジ取付穴２５とにネジ（図示せず）を通してネジの先端部にナットを螺合させることにより行われている。
【００４４】
また、可動側レール１７と補強板１５とが固定されている場合において、戻り止め用凸部１９の係合部１９ａが戻り止め用嵌合穴２３の縁部に係合しており、補強用凸部２０ａ，２０ｂは逃げ穴２４ａ，２４ｂ内に位置している。
【００４５】
可動側レール１７と補強板１５とを固定する手順は、図４に示した固定側レール１６とブラケット１３とを固定する手順と同じであり、説明を省略する。
【００４６】
このような構成において、複数の商品Ｎが載置されている棚部材５には大きな荷重が作用するため、固定側レール１６とブラケット１３との固定、及び、可動側レール１７と補強板１５との固定は、それぞれ複数個所で強固に行う必要がある。
【００４７】
本実施の形態では、固定側レール１６とブラケット１３との固定、及び、可動側レール１７と補強板１５との固定を、２つの固定用嵌合爪１８ａ，１８ｂと1つのネジとを用いて行っている。固定用嵌合爪１８ａ，１８ｂと固定用嵌合穴２２ａ，２２ｂとを嵌合させる作業は、固定側レール１６とブラケット１３、及び、可動側レール１７と補強板１５とを対向させて相対的にスライドさせることにより行える。したがって、固定側レール１６とブラケット１３との固定作業、及び、可動側レール１７と補強板１５との固定作業に要する手間と時間とを軽減することができる。
【００４８】
固定側レール１６及び可動側レール１７に設けられている固定用嵌合爪１８ａの長さ寸法“Ｌａ”と固定用嵌合爪１８ｂの長さ寸法“Ｌｂ”とが異なり、“Ｌａ＜Ｌｂ”である。このため、固定側レール１６とブラケット１３とを固定するために、図４（ｂ）に示したように固定用嵌合爪１８ａ，１８ｂを固定用嵌合穴２２ａ，２２ｂ内に位置させた状態から、図４（ｃ）に示したように固定側レール１６を矢印Ｂ方向にスライドさせた場合において、長い寸法の固定用嵌合爪１８ｂが固定用嵌合穴２２ｂに先に嵌合され、ついで、短い寸法の固定用嵌合爪１８ａが固定用嵌合穴２２ａに嵌合される。このため、固定用嵌合爪１８ｂが固定用嵌合穴２２ｂに嵌合されるタイミングと固定用嵌合爪１８ａが固定用嵌合穴２２ａに嵌合されるタイミングとがずれ、固定用嵌合爪１８ａ，１８ｂと固定用嵌合穴２２ａ，２２ｂとを嵌合させる場合の負荷が小さくなり、固定側レール１６とブラケット１３とを固定する作業を容易に行うことができる。可動側レール１７と補強板１５とを固定する場合も同様である。
【００４９】
固定側レール１６とブラケット１３とには、戻り止め用凸部１９と戻り止め用嵌合穴２３とからなる戻り止め機構が設けられている。このため、固定用嵌合爪１８ａ，１８ｂを固定用嵌合穴２２ａ，２２ｂに嵌合させた場合に、固定側レール１６とブラケット１３とが固定用嵌合爪１８ａ，１８ｂと固定用嵌合穴２２ａ，２２ｂとの嵌合が外れる方向へスライドすることを規制することができる。これにより、固定側レール１６とブラケット１３との固定位置のずれを防止することができる。可動側レール１７と補強板１５とを固定する場合も同様である。さらに、ショーケース用スライド棚４を引き出し位置や収納位置にスライドさせた場合に、ネジ取付穴２１とネジ取付穴２５とに通されて固定側レール１６とブラケット１３との固定、及び、可動側レール１７と補強板１５との固定に使用しているネジに作用する応力を軽減することができる。
【００５０】
固定側レール１６と可動側レール１７とには、これらのレール１６，１７の長手方向に沿って湾曲するように突出した補強用凸部２０ａ，２０ｂが形成されている。このため、固定側レール１６及び可動側レール１７のせん断荷重に対する強度を向上させることができる。
【００５１】
固定側レール１６と可動側レール１７とは同一形状に形成されているため、固定側レール１６と可動側レール１７とのプレス金型を共通にでき、金型製造コストのコストダウンを達成することができる。
【符号の説明】
【００５２】
１    冷蔵ショーケース
２    開放部
３    貯蔵室
４    ショーケース用スライド棚
５    棚部材
６    床下ダクト
７    背面ダクト
８    吹出口
９    吸込口
１０    冷却器
１１    ファン
１２Ａ，１２Ｂ  スライドレール
１３    支持部材（ブラケット）
１４    棚板
１５    補強板
１５ａ  第１平面部
１５ｂ  第２平面部
１６    固定側レール
１６ａ  平面部
１６ｂ  湾曲面部
１７    可動側レール
１７ａ  平面部
１７ｂ  湾曲面部
１８ａ，１８ｂ  固定用嵌合爪
１９    戻り止め用凸部
１９ａ  係合部
２０ａ，２０ｂ  補強用凸部
２１    ネジ取付穴
２２ａ，２２ｂ  固定用嵌合穴
２３    戻り止め用嵌合穴
２４ａ，２４ｂ  逃げ穴
２５    ネジ取付穴
【図１】
2012016505.tif 000003
【図２】
2012016505.tif 000004
【図３】
2012016505.tif 000005
【図４】
2012016505.tif 000006
【図５】
2012016505.tif 000007